(57)【要約】【課題】通常では交互冷却を行う冷凍冷蔵庫において、電源投入時のように冷凍室、冷蔵室の庫内温度が共に高くなっている状態では同時冷却でまず両室を共に冷却してから通常の交互冷却に移行することによって各室の温度上昇を極力抑える。【解決手段】通常では交互冷却を行う冷凍冷蔵庫において、電源投入時のように冷凍室、冷蔵室の庫内温度が共に高くなっている状態では、第１キャピラリチューブと第２キャピラリチューブとに同時に冷媒を流す同時冷却を開始することによって両室を共に冷却し、一定時間が経過すれば通常の交互冷却運転に移行する。【選択図】　　　図６
2004036975.tif 000002
【特許請求の範囲】
【請求項１】
冷媒を圧縮する圧縮機と、仕切部材で仕切られた冷蔵室と冷凍室とのそれぞれに設けられた庫内温度センサ、冷却用蒸発器及び冷却ファンと、凝縮器からの冷媒を前記冷蔵室冷却用蒸発器と冷凍室冷却用蒸発器とに直列に流す第１キャピラリチューブと、前記冷凍室冷却用蒸発器のみに冷媒を流す第２キャピラリチューブと、通常時に冷媒の流れを前記第１キャピラリチューブと第２キャピラリチューブとの間で切替える切替弁と、当該切替弁の切替えにより前記冷凍室と冷蔵室との交互冷却を行う冷凍冷蔵庫において、
前記冷蔵室の庫内温度センサと冷凍室の庫内温度センサが共にそれぞれの所定の設定温度よりも一定温度以上高いときに、前記第１キャピラリチューブと第２キャピラリチューブとに同時に冷媒を流す同時冷却を開始する同時冷却制御手段を備えたことを特徴とする冷凍冷蔵庫。
【請求項２】
前記同時冷却制御手段は、前記第１キャピラリチューブと第２キャピラリチューブとに同時に冷媒を流す同時冷却を行う際に、前記冷蔵室と冷凍室それぞれの庫内温度センサの検知温度とそれぞれの所定の設定温度との差の大きい方の庫内冷却ファンの回転数を大きくすることを特徴とする請求項１に記載の冷凍冷蔵庫。
【請求項３】
前記同時冷却制御手段は、当該冷凍冷蔵庫の電源投入時に、前記冷蔵室及び冷凍室の庫内温度をそれぞれの庫内温度センサにより検知し、それぞれの庫内温度が共に一定温度以上であるときには、前記第１キャピラリチューブ又は第２キャピラリチューブのいずれか一方のみに冷媒を流すように前記切替弁を制御し、その後、所定の温度条件に到達したときに同時冷却に移行することを特徴とする請求項１又は２に記載の冷凍冷蔵庫。
【請求項４】
前記同時冷却制御手段は、電源投入時に行う第１キャピラリチューブ又は第２キャピラリチューブのいずれか一方のみに冷媒を流す制御を、該当する冷蔵室又は冷凍室の庫内温度センサが冷却ＯＦＦ温度を検知するまで、又は電源投入後一定時間だけ行うことを特徴とする請求項３に記載の冷凍冷蔵庫。
【請求項５】
前記同時冷却制御手段は、前記冷蔵室又は冷凍室の庫内温度センサの検知温度が冷却ＯＦＦ設定温度に到達したときに同時冷却を終了することを特徴とする請求項１又は２に記載の冷凍冷蔵庫。
【請求項６】
前記同時冷却制御手段は、同時冷却の継続時間を所定時間に限定することを特徴とする請求項１又は２に記載の冷凍冷蔵庫。
【請求項７】
前記同時冷却制御手段は、前記同時冷却の終了時に、当該冷凍冷蔵庫を、前記冷蔵室又は冷凍室のうち前記庫内温度センサの検知する庫内温度がそれぞれの冷却ＯＦＦ設定温度に対してより高い温度の方の冷却から交互冷却を開始させることを特徴とする請求項６に記載の冷凍冷蔵庫。
【発明の詳細な説明】
【０００１】
【発明の属する技術分野】
本発明は、冷凍冷蔵庫に関する。
【０００２】
【従来の技術】
従来、冷凍室冷却用の蒸発器（Ｆ蒸発器）と冷蔵室冷却用の蒸発器（Ｒ蒸発器）を備え、三方弁の切換によってＦ蒸発器若しくはＲ蒸発器に交互に冷媒を供給し、冷凍室、冷蔵室を交互に冷却するパラレルサイクル方式の冷凍冷蔵庫が知られている。
【０００３】
このパラレルサイクル方式の冷蔵庫の場合、Ｒ蒸発器に冷媒を供給して冷蔵室を冷却する期間はＦ蒸発器に冷媒を流すことがないため、冷蔵室冷却（Ｒ冷却）の期間中に冷凍室の扉が開かれると冷凍室内の温度が急激に高くなり、効果的に冷却できないことがある問題点があった。
【０００４】
このようなパラレルサイクル方式の問題点を解決するものとして、図５の配管図、図６の冷媒流路図に示すセミパラレル方式の冷凍冷蔵庫が提案されている。この冷凍冷蔵庫は、冷蔵室と冷凍室とが仕切用の断熱部材で仕切られた構造であり、冷媒を圧縮する圧縮機１と、冷蔵室と冷凍室とのそれぞれに設けられた庫内温度センサ２Ｒ，２Ｆ、冷却用蒸発器３Ｒ，３Ｆ及び冷却ファン４Ｒ，４Ｆと、凝縮器５からの冷媒を冷蔵室冷却用（Ｒ）蒸発器３Ｒと冷凍室冷却用（Ｆ）蒸発器３Ｆとに直列に流す冷蔵室（Ｒ）メインキャピラリチューブ６Ｒと、冷凍室冷却用蒸発器３Ｆのみに冷媒を流す冷凍室（Ｆ）メインキャピラリチューブ６Ｆと、冷媒の流れを冷蔵室メインキャピラリチューブ６Ｒと冷凍室メインキャピラリチューブ６Ｆとの間で切替える三方弁７とを備え、通常冷却時には三方弁７の切替えにより冷蔵室メインキャピラリチューブ６Ｒ側に冷媒を流すと共に冷蔵室冷却ファン４Ｒを回転させることによって主に冷蔵室を冷却する冷蔵室冷却モードと、冷凍室メインキャピラリチューブ６Ｆ側に冷媒を流すと共に冷凍室冷却ファン４Ｆを回転させることによって冷凍室を冷却する冷凍室冷却モードとを交互に繰り返し、冷蔵室と冷凍室とを交互冷却するものである。
【０００５】
このセミパラレル方式の冷凍冷蔵庫では、冷凍室、冷蔵室それぞれの庫内温度を庫内温度センサ２Ｒ，２Ｆで監視していて、それぞれに冷却ＯＮ温度ＴＲｏｎ，ＴＦｏｎ、冷却ＯＦＦ温度ＴＲｏｆｆ，ＴＦｏｆｆを設定している。そして、
（１）冷蔵室温度センサ２Ｒの検知する冷蔵室の庫内温度ＴＲｒｅａｌ、冷凍室温度センサ２Ｆの検知する冷凍室の庫内温度ＴＦｒｅａｌが共に冷却ＯＮ温度ＴＲｏｎ，ＴＦｏｎよりも高い場合には、冷蔵室、冷凍室を交互に設定時間ずつ交互に冷却運転し、
（２）その後に冷凍室がよく冷やされ、その庫内温度ＴＦｒｅａｌが冷却ＯＦＦ温度ＴＦｏｆｆ以下になったが、他方、冷蔵室の庫内温度ＴＲｒｅａｌは冷却ＯＦＦ温度ＴＲｏｆｆよりも高い状態が続く状態では、冷凍室の庫内温度ＴＦｒｅａｌが冷却ＯＮ温度ＴＦｏｎ以上にならない限り、冷蔵室の庫内温度ＴＲｒｅａｌが冷却ＯＦＦ温度ＴＲｏｆｆ以下になるまで冷蔵室を主に冷却し、
（３）逆に冷蔵室がよく冷やされ、庫内温度ＴＲｒｅａｌが冷却ＯＦＦ温度ＴＲｏｆｆ以下になったが、冷凍室の庫内温度ＴＦｒｅａｌは冷却ＯＦＦ温度ＴＦｏｆｆよりも高い状態が続く状態では、冷蔵室の庫内温度ＴＲｒｅａｌが冷却ＯＮ温度ＴＲｏｎ以上にならない限り、冷凍室の庫内温度ＴＦｒｅａｌが冷却ＯＦＦ温度ＴＦｏｆｆ以下になるまで冷凍室を主に冷却し、
（４）そして、冷蔵室温度ＴＲｒｅａｌ、冷凍室温度ＴＦｒｅａｌが共に冷却ＯＦＦ温度ＴＲｏｆｆ，ＴＦｏｆｆ以下の状態ではいずれの冷却モードの期間にも圧縮機を停止させておき、
（５）その後、庫内温度が上昇し、例えば、冷蔵室の庫内温度ＴＲｒｅａｌが先に冷却ＯＮ温度ＴＲｏｎ以上になれば、上の（２）の冷却を行い、先に冷凍室の庫内温度ＴＦｒｅａｌが冷却ＯＮ温度ＴＦｏｎ以上になれば上の（３）の冷却を行い、庫内温度ＴＲｒｅａｌ，ＴＦｒｅａｌが共にそれぞれの冷却ＯＮ温度ＴＲｏｎ，ＴＦｏｎよりも高くなれば（１）の交互冷却を再開する。
【０００６】
この提案されているセミパラレル方式の冷凍冷蔵庫では、パラレルサイクル方式の冷蔵庫と比較すれば、Ｒ冷却中に冷凍室の扉が開かれ、その庫内温度が上昇しＲ蒸発器内で冷媒がすべて熱交換しても、Ｆ蒸発器には−２０℃程度の冷媒が流れているので冷凍室内をある程度冷却することができ、Ｒ冷却中の冷凍室の温度上昇を抑えられる利点がある。
【０００７】
【発明が解決しようとする課題】
しかしながら、提案されているセミパラレル方式の冷凍冷蔵庫にも、次のような解決すべき技術的課題があった。すなわち、冷蔵室及び冷凍室が共にそれぞれの冷却ＯＮ設定温度以上になっている場合には、両庫内温度と冷却ＯＮ温度との差に大小があってもそれを考慮せず、冷凍室、冷蔵室を交互冷却し、いずれか急速冷却を必要とする側を重点的に冷却するということがないため、その温度上昇が大きくなる問題点があった。
【０００８】
本発明はこのような技術的課題に鑑みてなされたもので、セミパラレル方式の冷凍冷蔵庫にあって、電源投入時のように冷凍室、冷蔵室の庫内温度が共に高くなっている状態では同時冷却でまず両室を共に冷却してから通常の交互冷却に移行することによって各室の温度上昇を極力抑えることができる冷凍冷蔵庫を提供することを目的とする。
【０００９】
【課題を解決するための手段】
請求項１の発明は、冷媒を圧縮する圧縮機と、仕切部材で仕切られた冷蔵室と冷凍室とのそれぞれに設けられた庫内温度センサ、冷却用蒸発器及び冷却ファンと、凝縮器からの冷媒を前記冷蔵室冷却用蒸発器と冷凍室冷却用蒸発器とに直列に流す第１キャピラリチューブと、前記冷凍室冷却用蒸発器のみに冷媒を流す第２キャピラリチューブと、通常時に冷媒の流れを前記第１キャピラリチューブと第２キャピラリチューブとの間で切替える切替弁と、当該切替弁の切替えにより前記冷凍室と冷蔵室との交互冷却を行う冷凍冷蔵庫において、前記冷蔵室の庫内温度センサと冷凍室の庫内温度センサが共にそれぞれの所定の設定温度よりも一定温度以上高いときに、前記第１キャピラリチューブと第２キャピラリチューブとに同時に冷媒を流す同時冷却を開始する同時冷却制御手段を備えたことを特徴とするものである。
【００１０】
通常の交互冷却運転では冷蔵室と冷凍室を交互に冷却するため、冷却側と非冷却側とに共に大きな熱負荷が加わり、冷蔵室と冷凍室との庫内温度が共に上昇した場合、片側を冷却している間にもう一方は無冷却状態になるためにさらに温度上昇してしまうことがあり得る。
【００１１】
そこで、請求項１の発明の冷凍冷蔵庫では、同時冷却制御手段が、冷蔵室、冷凍室それぞれの庫内温度センサの検知温度が共にそれぞれの所定の設定温度よりも一定値（例えば５Ｋ）以上高くなった時には同時冷却を行うことにより、両室共に温度上昇するのを抑える。
【００１２】
請求項２の発明は、請求項１の冷凍冷蔵庫において、前記同時冷却制御手段は、前記第１キャピラリチューブと第２キャピラリチューブとに同時に冷媒を流す同時冷却を行う際に、前記冷蔵室と冷凍室それぞれの庫内温度センサの検知温度とそれぞれの所定の設定温度との差の大きい方の庫内冷却ファンの回転数を大きくすることを特徴とするものである。
【００１３】
請求項２の発明の冷凍冷蔵庫では、同時冷却制御手段が冷蔵室、冷凍室の同時冷却を行う際に、それぞれの所定の設定温度に対する実際の庫内温度の高さがより大きい側の冷却に重点を置き、温度差が大きい側の庫内冷却ファンの回転数を高くすることにより、冷蔵室、冷凍室の両室温度を同時により効果的に冷却することができる。
【００１４】
請求項３の発明は、請求項１又は２の冷凍冷蔵庫において、前記同時冷却制御手段は、当該冷凍冷蔵庫の電源投入時に、前記冷蔵室及び冷凍室の庫内温度をそれぞれの庫内温度センサにより検知し、それぞれの庫内温度が共に一定温度以上であるときには、前記第１キャピラリチューブ又は第２キャピラリチューブのいずれか一方のみに冷媒を流すように前記切替弁を制御し、その後、所定の温度条件に到達したときに同時冷却に移行することを特徴とするものである。
【００１５】
例えば、購入して初めて電源を投入する場合のように、無冷却状態の冷凍冷蔵庫に電源投入直後から同時冷却を行うと圧縮機に大きな負荷がかかり、起動することができなくなる場合がある。
【００１６】
請求項３の発明の冷凍冷蔵庫では、このような同時冷却運転により発生する可能性のある不具合を回避するため、電源投入時に冷蔵室、冷凍室それぞれの庫内温度センサの温度を確認し、その庫内温度が共に一定値（例えば１０℃）以上である場合には無冷却状態からの電源投入であるとして、まず冷蔵室、冷凍室のどちらか一方の冷却を行い、その後ある程度圧縮機負荷が低減してから同時冷却に移行することにより、圧縮機の起動不能になる事態を確実に防止する。
【００１７】
請求項４の発明は、請求項３の冷凍冷蔵庫において、前記同時冷却制御手段は、電源投入時に行う第１キャピラリチューブ又は第２キャピラリチューブのいずれか一方のみに冷媒を流す制御を、該当する冷蔵室又は冷凍室の庫内温度センサが冷却ＯＦＦ温度を検知するまで、又は電源投入後一定時間だけ行うことを特徴とするものである。
【００１８】
電源投入時に、同時冷却に移行する前に行う片側冷却は該当庫内温度が冷却ＯＦＦ温度になるまで行えば十分であるが、場合によっては一定時間のうちに冷却ＯＦＦ温度に達しない場合があり、そのような場合にはもう一方側が無冷却のままになってしまう。
【００１９】
そこで、請求項４の発明の冷凍冷蔵庫では、電源投入時に、同時冷却に移行する前に行う片側冷却は該当庫内温度が冷却ＯＦＦ温度になるまで、あるいは冷却ＯＦＦ温度に達しなくとも一定時間（例えば２時間）だけ行い、その後は同時冷却に移行することにより、他方側に無冷却状態が続いて極端に高い温度になってしまうのを防止する。
【００２０】
請求項５の発明は、請求項１又は２の冷凍冷蔵庫において、前記同時冷却制御手段は、前記冷蔵室又は冷凍室の庫内温度センサの検知温度が冷却ＯＦＦ設定温度に到達したときに同時冷却を終了することを特徴とするものであり、同時冷却を行った結果、冷蔵室又は冷凍室の庫内温度センサの検知温度が冷却ＯＦＦ設定温度に達した時点で庫内温度は目標を満足していると判断し、同時冷却を終了して通常の交互冷却に移行する。
【００２１】
請求項６の発明は、請求項１又は２の冷凍冷蔵庫において、前記同時冷却制御手段は、同時冷却の継続時間を所定時間に限定することを特徴とするものである。
【００２２】
同時冷却中は冷蔵室蒸発器と冷凍室蒸発器の蒸発温度は約−１８〜−２０℃程度でほぼ等しくなり、閉扉でその状態を続けると冷蔵室は十分に冷えるが、冷凍室は冷却不十分になる。このため、実使用の中で同時冷却中に冷蔵室に過大な負荷（例えば、過度の扉開閉、高温食品の投入など）があると、冷蔵室はある程度の冷却は確保できるが、冷凍室の冷却が足りなくなることが起こり得る。
【００２３】
そこで、請求項６の発明の冷凍冷蔵庫では、同時冷却の継続時間をある一定時間（例えば２時間程度）に制限し、それ以降は通常の交互冷却に移行することにより、冷凍室の冷却不足が起こるのを防止する。
【００２４】
請求項７の発明は、請求項６の冷凍冷蔵庫において、前記同時冷却制御手段は、前記同時冷却の終了時に、当該冷凍冷蔵庫を、前記冷蔵室又は冷凍室のうち前記庫内温度センサの検知する庫内温度がそれぞれの冷却ＯＦＦ設定温度に対してより高い温度の方の冷却から交互冷却を開始させることを特徴とするものであり、同時冷却終了後の交互冷却は、それぞれの冷却ＯＦＦ設定温度に対してより高い温度の室から冷却を行うことによって冷蔵室、冷凍室両者をなるべく早く設定温度に合わせる。
【００２５】
【発明の実施の形態】
以下、本発明の実施の形態を図に基づいて詳説する。本発明の一実施の形態の冷凍冷蔵庫はセミパラレル方式の冷却制御機能を備えたもので、従来例と同様に冷媒配管は図５に示し、冷媒流路は図６に示したものである。
【００２６】
図１に示したように、本実施の形態の冷凍冷蔵庫の特徴は、制御回路１０の制御機能にある。この制御回路１０はいわゆるマイコンチップで構成されるもので、あらかじめ組み込まれた制御用プログラムにより後述するように各機器の運転制御を行う。そしてこの制御回路１０に対する信号入力は、冷蔵室庫内温度センサ（Ｒセンサ）２Ｒ、冷凍室庫内温度センサ（Ｆセンサ）２Ｆ、除霜完了検知用温度センサ１１、電源センサ１２から与えられ、この制御回路１０による制御対象は、圧縮機１、冷蔵室冷却ファン４Ｒ、冷凍室冷却ファン４Ｆ、三方弁７、除霜ヒータ１３である。
【００２７】
次に、上記構成の冷凍冷蔵庫の冷却制御動作について説明する。通常冷却時には三方弁７を切替制御することにより冷蔵室（Ｒ）メインキャピラリチューブ６Ｒ側に冷媒を流すと共に冷蔵室冷却ファン４Ｒを回転させることによって主に冷蔵室を冷却する冷蔵室冷却モード（Ｒ冷却）と、冷凍室（Ｆ）メインキャピラリチューブ６Ｆ側に冷媒を流すと共に冷凍室冷却ファン４Ｆを回転させることによって冷凍室を冷却する冷凍室冷却モード（Ｆ冷却）とを交互に繰り返し、冷蔵室と冷凍室とを交互冷却する。
【００２８】
電源投入からこのＲＦ交互冷却運転に移行するまでの制御について、図２〜図４を用いて説明する。図４の表に示すように、制御回路１０は設定値として、同時冷却を行う前に、Ｆ冷却又はＲ冷却を行うか否かの判断のしきい値ＲＴ（ｕ）（例えば、２０℃）、同時冷却前のＦ冷却又はＲ冷却の継続時間をカウントするタイマの設定時間Ｔｉｍｅｒ（Ａ）（例えば、２時間）、冷凍室冷却をＯＦＦにする冷凍室冷却ＯＦＦ温度ＴＦｏｆｆ（例えば、−２０℃）、冷蔵室冷却をＯＦＦにする冷蔵室冷却ＯＦＦ温度ＴＲｏｆｆ（例えば、５℃）、冷凍室庫内温度センサ２Ｆにより「同時冷却する必要あり」と判断するしきい値Ｆ（ｕｌ）（例えば、−１５℃）、冷蔵室庫内温度センサ２Ｒにより「同時冷却する必要あり」と判断するしきい値Ｒ（ｕｌ）（例えば、１０℃）、同時冷却の継続時間をカウントするタイマの設定時間Ｔｉｍｅｒ（ＲＦ）（例えば、２時間）を記憶している。
【００２９】
新品を購入したユーザが初めて電源を投入したとき、あるいは除霜後に冷却を再開するときのように、庫内温度が比較的高い状態では、直接に同時冷却に入ると負荷が大きすぎることがあるので、同時冷却モードに移行する前に、まず、Ｆ冷却又はＲ冷却を開始する。すなわち、Ｆセンサ２Ｆの測定温度がＲＴ（ｕ）よりも高く、同時にＲセンサ２Ｒの測定温度もＲＴ（ｕ）よりも高い状態では、同時冷却モードに移行する前に、Ｆ冷却（又はＲ冷却。本実施の形態ではＦ冷却を優先させている。）に入る（ステップＳ１〜Ｓ３）。
【００３０】
Ｆ冷却を開始すれば、タイマＴｉｍｅｒ（Ａ）を起動し（ステップＳ４）、Ｆセンサ２Ｆの温度、つまり、冷凍室の庫内温度が冷凍室冷却ＯＦＦ温度ＴＦｏｆｆまで冷却されない限り、タイマＴｉｍｅｒ（Ａ）がタイムアウトするまでＦ冷却を継続する（ステップＳ５〜Ｓ７）。なお、冷凍室の冷却（Ｆ冷却）をしている場合、冷蔵室の温度は幾分低下する可能性はあるが、冷蔵室庫内温度ＴＲｒｅａｌが冷却ＯＦＦ温度ＴＲｏｆｆにまで冷却されることはない。
【００３１】
なお、このＦ冷却のルーチンで冷凍室庫内温度が冷却ＯＦＦ温度ＴＦｏｆｆを下回るまでに冷却された場合には、本実施の形態の冷凍冷蔵庫の本来の冷却運転制御であるＲＦ交互冷却制御に直接に移行する（ステップＳ４→Ｓ１５）。
【００３２】
Ｆ冷却がタイマＴｉｍｅｒ（Ａ）の設定時間だけ継続され、冷凍室がある程度冷却されると、冷凍室の庫内温度ＴＦｒｅａｌが「同時冷却する必要あり」と判断するしきい値Ｆ（ｕｌ）よりも低下したか否か判断し、十分に冷却されていない場合には、同時冷却モードに移行する（ステップＳ８〜Ｓ１０）。なお、最初にＦ冷却した場合、冷蔵室はほとんど冷却されないので、冷蔵室の庫内温度ＴＲｒｅａｌが「同時冷却する必要あり」と判断するしきい値Ｒ（ｕｌ）以下まで低下することはなく、ステップＳ９では通常、ＹＥＳに分岐し、次のステップＳ１０のＲＦ同時冷却モードに移行する。
【００３３】
同時冷却モード移行前のタイマＴｉｍｅｒ（Ａ）の設定時間内にＦ冷却モードによって冷凍室が「同時冷却する必要あり」と判断するしきい値Ｆ（ｕｌ）以下まで冷却できた場合には、同時冷却運転を行う必要がないので、本来のＲＦ交互冷却制御に移行する（ステップＳ８→Ｓ１５）。
【００３４】
ステップＳ１０でＲＦ同時冷却を開始すると、制御回路１０は、本来の交互冷却モードから同時冷却モードに切替え、三方弁７をＦキャピラリチューブ６ＦとＲキャピラリチューブ６Ｒとに同時に冷媒を流すように弁状態を制御し、同時に、Ｆファン４ＦとＲファン４Ｒを同時に回転させる。この場合、Ｆファン４ＦとＲファン４Ｒとは、センサ検知温度とそれぞれの同時冷却開始しきい値Ｆ（ｕｌ），Ｒ（ｕｌ）との差が大きい方の回転数を大きくし、より速く冷却するようにする。
【００３５】
同時冷却モードに移行すれば、タイマＴｉｍｅｒ（ＲＦ）を起動し（ステップＳ１１）、冷凍室庫内温度ＴＦｒｅａｌが冷却ＯＦＦ温度ＴＦｏｆｆより低下するか（ステップＳ１２）、冷蔵室庫内温度ＴＲｒｅａｌが冷却ＯＦＦ温度ＴＲｏｆｆより低下するか（ステップＳ１３）、当該タイマＴｉｍｅｒ（ＲＦ）がタイムアップするまで継続する（ステップＳ１４）。
【００３６】
同時冷却モードにより、冷凍室庫内温度ＴＦｒｅａｌが冷却ＯＦＦ温度ＴＦｏｆｆより低下するか（ステップＳ１２でＮＯ）、冷蔵室庫内温度ＴＲｒｅａｌが冷却ＯＦＦ温度ＴＲｏｆｆより低下するか（ステップＳ１３でＮＯ）、又は当該タイマＴｉｍｅｒ（ＲＦ）がタイムアップすると（ステップＳ１４でＹＥＳ）、ＲＦ交互冷却運転に移行することになる。
【００３７】
ＲＦ交互運転に入る際には、まず、冷凍室、冷蔵室それぞれの庫内温度ＴＦｒｅａｌ，ＴＲｒｅａｌと冷却ＯＦＦ温度ＴＦｏｆｆ，ＴＲｏｆｆとを比較し、冷凍室の温度差の方が大きれば冷凍室冷却モードから交互冷却運転を開始し（ステップＳ１６，Ｓ１７）、冷蔵室の温度差の方が大きければ冷蔵室冷却モードから交互冷却運転を開始する（ステップＳＳ１６，Ｓ１８）。そして、以降は、本来のＲＦ交互冷却運転を行う（ステップＳ１９）。
【００３８】
ＲＦ交互冷却運転では、従来例と同様に、
（１）冷蔵室温度センサ２Ｒの検知する冷蔵室の庫内温度ＴＲｒｅａｌ、冷凍室温度センサ２Ｆの検知する冷凍室の庫内温度ＴＦｒｅａｌが共に冷却ＯＮ温度ＴＲｏｎ，ＴＦｏｎよりも高い場合には、冷蔵室、冷凍室を交互に設定時間ずつ交互に冷却運転し、
（２）その後に冷凍室がよく冷やされ、その庫内温度ＴＦｒｅａｌが冷却ＯＦＦ温度ＴＦｏｆｆ以下になったが、他方、冷蔵室の庫内温度ＴＲｒｅａｌは冷却ＯＦＦ温度ＴＲｏｆｆよりも高い状態が続く状態では、冷凍室の庫内温度ＴＦｒｅａｌが冷却ＯＮ温度ＴＦｏｎ以上にならない限り、冷蔵室の庫内温度ＴＲｒｅａｌが冷却ＯＦＦ温度ＴＲｏｆｆ以下になるまで冷蔵室を主に冷却し、
（３）逆に冷蔵室がよく冷やされ、庫内温度ＴＲｒｅａｌが冷却ＯＦＦ温度ＴＲｏｆｆ以下になったが、冷凍室の庫内温度ＴＦｒｅａｌは冷却ＯＦＦ温度ＴＦｏｆｆよりも高い状態が続く状態では、冷蔵室の庫内温度ＴＲｒｅａｌが冷却ＯＮ温度ＴＲｏｎ以上にならない限り、冷凍室の庫内温度ＴＦｒｅａｌが冷却ＯＦＦ温度ＴＦｏｆｆ以下になるまで冷凍室を主に冷却し、
（４）そして、冷蔵室温度ＴＲｒｅａｌ、冷凍室温度ＴＦｒｅａｌが共に冷却ＯＦＦ温度ＴＲｏｆｆ，ＴＦｏｆｆ以下の状態ではいずれの冷却モードの期間にも圧縮機を停止させておき、
（５）その後、庫内温度が上昇し、例えば、冷蔵室の庫内温度ＴＲｒｅａｌが先に冷却ＯＮ温度ＴＲｏｎ以上になれば、上の（２）の冷却を行い、先に冷凍室の庫内温度ＴＦｒｅａｌが冷却ＯＮ温度ＴＦｏｎ以上になれば上の（３）の冷却を行い、庫内温度ＴＲｒｅａｌ，ＴＦｒｅａｌが共にそれぞれの冷却ＯＮ温度ＴＲｏｎ，ＴＦｏｎよりも高くなれば（１）の交互冷却を行う、
という制御を実施する。
【００３９】
これにより、本実施の形態の冷凍冷蔵庫によれば、冷蔵室、冷凍室それぞれの庫内温度センサ２Ｒ，２Ｆの検知温度が共にそれぞれの冷却ＯＮ温度よりも一定値（例えば５℃）以上高くなった時には同時冷却を行うことにより、両室共に温度上昇するのを抑えることができ、また、冷蔵室、冷凍室の同時冷却を行う際に、それぞれの冷却ＯＮ温度に対する実際の庫内温度の高さがより大きい側の冷却に重点を置き、温度差が大きい側の庫内冷却ファンの回転数を高くすることにより、冷蔵室、冷凍室の両室温度をほぼ同時に冷却ＯＮ設定温度に近づけることができる。また本実施の形態の冷凍冷蔵庫によれば、電源投入時に冷蔵室、冷凍室それぞれの庫内温度センサ２Ｒ，２Ｆの温度を確認し、その庫内温度が共に一定値（例えば１０℃）以上である場合には無冷却状態からの電源投入であるとして、まず冷蔵室、冷凍室のどちらか一方の冷却を行い、その後ある程度圧縮機負荷が低減してから同時冷却を行うことにより、同時冷却による大負荷のため圧縮機１が起動不能になる不具合の発生を未然に防止でき、さらに、電源投入時に、同時冷却に移行する前に行う片側冷却は一定時間（例えば２時間間）だけ行い、その後は同時冷却に移行することにより、他方側が無冷却状態が続いて極端に高い温度になってしまうのを防止することができる。
【００４０】
さらに本実施の形態の冷凍冷蔵庫によれば、冷蔵室又は冷凍室のいずれかの庫内温度センサの検知温度が冷却ＯＦＦ設定温度に到達したときに同時冷却を終了し、通常の交互冷却に移行することにより消費電力が増大するのを防止できる。
【００４１】
さらに本実施の形態の冷凍冷蔵庫によれば、同時冷却の継続時間をある一定時間（例えば２時間程度）に制限し、それ以降は通常の交互冷却に移行することにより、同時冷却中に冷蔵室に過大な負荷（例えば、過度の扉開閉、高温食品の投入など）があり、冷蔵室はある程度の冷却は確保できても冷凍室の冷却が足りなくなる事態が発生するのを防止することができ、さらに、同時冷却の終了時に、当該冷凍冷蔵庫を、冷蔵室又は冷凍室のうち庫内温度センサの検知する庫内温度がそれぞれの冷却ＯＦＦ設定温度に対してより高い温度の方を冷却する冷却モードから交互冷却に移行することにより、冷蔵室、冷凍室両者を早く設定温度に合わせることができるようになる。
【００４２】
なお、本発明は上記の実施の形態に限定されるものではなく、最小限の機能として電源投入時に、交互冷却運転に入る前に同時冷却運転する機能があれば十分であり、必要に応じて、また製品仕様に応じて、同時冷却運転の開始前に冷凍室若しくは冷蔵室の片側冷却運転を一定時間行う機能や、また同時冷却運転から交互冷却運転に移行する際に緊急に冷却の必要がより大きい室から優先的に冷却を開始する機能を付加することができる。
【００４３】
【発明の効果】
以上のように本発明によれば、電源投入時のように冷凍室、冷蔵室の庫内温度が共に高くなっている状態では同時冷却でまず両室を共に冷却してから通常の交互冷却に移行することによって各室の温度上昇を極力抑えることができる。
【図面の簡単な説明】
【図１】本発明の１つの実施の形態の冷却運転制御部の機能構成を示すブロック図。
【図２】上記の実施の形態による冷却運転制御のフローチャートその１。
【図３】上記の実施の形態による冷却運転制御のフローチャートその２。
【図４】上記の冷却運転制御に用いる定数、変数の表。
【図５】従来例及び本発明の実施の形態の冷凍冷蔵庫の冷媒配管図。
【図６】従来例及び本発明の実施の形態の冷凍冷蔵庫の冷媒流路図。
【符号の説明】
１　圧縮機
２Ｆ　冷凍室庫内温度センサ
２Ｒ　冷蔵室庫内温度センサ
３Ｆ　冷凍室冷却用蒸発器
３Ｒ　冷蔵室冷却用蒸発器
４Ｆ　冷凍室冷却ファン
４Ｒ　冷蔵室冷却ファン
５　凝縮器
６Ｆ　冷凍室用メインキャピラリチューブ
６Ｒ　冷蔵室用メインキャピラリチューブ
７　三方弁
１０　制御回路
１２　電源センサ
【図１】
2004036975.tif 000003
【図２】
2004036975.tif 000004
【図３】
2004036975.tif 000005
【図４】
2004036975.tif 000006
【図５】
2004036975.tif 000007
【図６】
2004036975.tif 000008